(57)【要約】【課題】  食器棚，本棚，陳列棚等の種々の収納家具，キャビネット又は部屋の間仕切りにおける引戸において、特に引戸の戸閉側端部付近に近接させることで、その引戸を戸閉側端部に強制的に引き寄せるとともに、その戸閉終了間際における引戸の速度が適正に減速され良好な戸閉動作にすること。【解決手段】  弾性部材３と、該弾性部材３の付勢力を減少させる抵抗力を発生する緩衝部材４とによってケーシングＡ内の前方から後方に移動するように付勢された摺動部材１にフック２が枢支連結されること。該フック２は、前記ケーシングＡの前方側に形成された導入口１０ｆ付近に位置するときのみ水平面上において揺動且つ傾斜状態で仮停止状態が維持されること。前記ケーシングＡの外部に存在する係止ピン１９が係止することにより前記フック２は仮停止状態が解除可能とされること。【選択図】      図１
2007023554.tif 000002
【特許請求の範囲】
【請求項１】
弾性部材と、該弾性部材の付勢力を減少させる抵抗力を発生する緩衝部材とによってケーシング内の前方から後方に移動するように付勢された摺動部材にフックが枢支連結され、該フックは、前記ケーシングの前方側に形成された導入口付近に位置するときのみ水平面上において揺動且つ傾斜状態で仮停止状態が維持され、前記ケーシングの外部に存在する係止ピンが係止することにより前記フックは仮停止状態が解除可能とされてなることを特徴とする戸閉具。
【請求項２】
前方正面側から上面後方側に亘って形成された導入口と導入溝とからなる導入部を有するケーシングと、該ケーシング内に水平方向に移動するように装着された摺動部材と、前記ケーシング内に収納されると共に前記摺動部材に枢支連結されたフックと、前記摺動部材を前記ケーシング内の長手方向後方側に移動させるように弾性付勢する弾性部材と、該弾性部材の弾性付勢力を減少させる抵抗力を発生する緩衝部材とからなり、前記フックは、前記ケーシングの前方側の前記導入口付近に位置するときのみ水平面上を揺動且つ傾斜状態で仮停止状態が維持され、前記ケーシングの外部に存在する係止ピンが係止することにより前記フックは仮停止状態が解除可能とされてなることを特徴とする戸閉具。
【請求項３】
請求項１又は２において、前記フックは、被係止縁と被当接縁とからなり、前記被係止縁は被当接縁よりも延出方向において短く形成され、且つその被係止縁は前記導入口側寄りに形成されてなることを特徴とする戸閉具。
【請求項４】
請求項１，２又は３において、前記フックの下面側にはガイド突起が形成され、前記ケーシングには、前記ガイド突起を前記ケーシングの前後方向に案内する案内溝と、前記導入口側寄りで且つ前記案内溝に連続し，前記ガイド突起を案内して前記フックを前記導入口付近で水平面に揺動させ，傾斜状態に仮停止させる係止溝とが形成されてなることを特徴とする戸閉具。
【請求項５】
請求項１，２，３又は４において、前記摺動部材にはラック部が形成され、緩衝部材には前記ラック部と歯合し且つ前記弾性部材による摺動部材のケーシング後方側への移動に対してその抵抗力を発生する歯車部が緩衝部材に具備されてなることを特徴とする戸閉具。
【請求項６】
請求項１，２，３，４又は５において、前記ケーシングの導入部の導入溝にはカバー板が装着され、該カバー板は、前記係止ピンの相対的な通過にて開閉自在としてなることを特徴とする戸閉具。
【請求項７】
請求項１，２，３，４，５又は６において、前記ケーシングは前記引戸の内部に装着され、前記係止ピンは前記ガイドレールの内部で且つ前記ケーシングに対応する位置に設けられてなることを特徴とする引戸の戸閉装置。
【請求項８】
請求項１，２，３，４，５又は６において、前記ケーシングは前記引戸の表面側又は裏面側に装着され、前記係止ピンは前記ガイドレールの外部で且つ前記ケーシングに対応する位置に設けられてなることを特徴とする引戸の戸閉装置。
【請求項９】
請求項１，２，３，４，５，６，７又は８において、前記係止ピンは、上下方向に移動自在で、且つ常時は下方向に弾性付勢されると共に、前記フックには被係止縁から外方に向かって断面が略三角形状且つ略先鋭状となる復帰用傾斜面が形成されてなることを特徴とする引戸の戸閉装置。
【請求項１０】
請求項１，２，３，４，５，６，７，８又は９において、前記固定ガイドの係止ピンの下端位置は、上下方向の位置調整が可能としてなることを特徴とする引戸の戸閉装置。
【発明の詳細な説明】
【技術分野】
【０００１】
本発明は、食器棚，本棚，陳列棚等の種々の収納家具，キャビネット又は部屋の間仕切りにおける引戸において、特に引戸の戸閉側端部付近に近接させることで、その引戸を戸閉側端部に強制的に引き寄せるとともに、その戸閉終了間際における引戸の速度が適正に減速され良好な戸閉動作にすることができる戸閉具及び引戸の戸閉装置に関する。
【背景技術】
【０００２】
従来より下記特許文献１等に見られるような引戸装置が存在している。そして食器棚，本棚，陳列棚等の種々の収納家具には、ガラス窓を備えた引戸が装着されることが多い。この引戸は、小さい間口の収納家具であれば間口箇所の上下にガイドレールが形成され、ガラス板の上下端部がそのガイドレールに挿入された極めて簡単な構造のものでよい。しかし、高級な家具や高級なキャビネットでは、引戸の開き及び閉めの動作にも重厚且つ上品であることが要求される。特に、大型の家具又は部屋の仕切りとして使用される引戸は、特に大型となり、それゆえに、引戸自体の重量も極めて大きくなる。
【特許文献１】特開２００２−１３８７３９号
【発明の開示】
【発明が解決しようとする課題】
【０００３】
このような大型の引戸は、その重量が重いため、引戸が一旦，移動し始めるとその勢いにより、キャビネットの枠に大きな衝撃を有して衝突状に当接するおそれがある。このような状態は、家具の品質を低下させ、高級家具やキャビネットの特性として相応しいものとはいえない。さらに、部屋の仕切りとして使用される引戸においても、動作に静粛さが要望されるものであり、前述したように大きな衝撃を有して戸当たりに衝突状に当接するおそれがあり、このような引戸は、高級な室内では、決して相応しいものとはいえない。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００４】
このようなことも家具の品質を低下させる原因となる。さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。また、引戸を開けるときに、把手の位置によっては、引戸には移動方向にモーメントがかかり、引戸がガイドレールに対して傾斜してしまうことがあり、開閉動作が安定しにくいことがありうる。
【０００５】
このため、本発明が解決しようとする課題（技術的課題又は目的等）は、戸閉終了間際における引戸の速度を適正に減速させて、引戸開閉時における動作を良質なものとし、さらにその戸閉装置の取付けスペースを僅かなものとし、装置の組付けも極めて簡単にすることを実現することである。
【課題を解決するための手段】
【０００６】
そこで、発明者は、上記課題を解決すべく、鋭意，研究を重ねた結果、請求項１の発明を、弾性部材と、該弾性部材の付勢力を減少させる抵抗力を発生する緩衝部材とによってケーシング内の前方から後方に移動するように付勢された摺動部材にフックが枢支連結され、該フックは、前記ケーシングの前方側に形成された導入口付近に位置するときのみ水平面上において揺動且つ傾斜状態で仮停止状態が維持され、前記ケーシングの外部に存在する係止ピンが係止することにより前記フックは仮停止状態が解除可能とされてなる戸閉具としたことにより、上記課題を解決した。
【０００７】
次に、請求項２の発明は、前方正面側から上面後方側に亘って形成された導入口と導入溝とからなる導入部を有するケーシングと、該ケーシング内に水平方向に移動するように装着された摺動部材と、前記ケーシング内に収納されると共に前記摺動部材に枢支連結されたフックと、前記摺動部材を前記ケーシング内の長手方向後方側に移動させるように弾性付勢する弾性部材と、該弾性部材の弾性付勢力を減少させる抵抗力を発生する緩衝部材とからなり、前記フックは、前記ケーシングの前方側の前記導入口付近に位置するときのみ水平面上を揺動且つ傾斜状態で仮停止状態が維持され、前記ケーシングの外部に存在する係止ピンが係止することにより前記フックは仮停止状態が解除可能とされてなる戸閉具としたことにより、上記課題を解決した。
【０００８】
次に、請求項３の発明は、前述の構成において、前記フックは、被係止縁と被当接縁とからなり、前記被係止縁は被当接縁よりも延出方向において短く形成され、且つその被係止縁は前記導入口側寄りに形成されてなる戸閉具としたことにより、上記課題を解決した。さらに、請求項４の発明は、前述の構成において、前記フックの下面側にはガイド突起が形成され、前記ケーシングには、前記ガイド突起を前記ケーシングの前後方向に案内する案内溝と、前記導入口側寄りで且つ前記案内溝に連続し，前記ガイド突起を案内して前記フックを前記導入口付近で水平面に揺動させ，傾斜状態に仮停止させる係止溝とが形成されてなる戸閉具としたことにより、上記課題を解決した。
【０００９】
次に、請求項５の発明は、前述の構成において、前記摺動部材にはラック部が形成され、緩衝部材には前記ラック部と歯合し且つ前記弾性部材による摺動部材のケーシング後方側への移動に対してその抵抗力を発生する歯車部が緩衝部材に具備されてなる戸閉具としたことにより、上記課題を解決した。また、請求項６の発明は、前述の構成において、前記ケーシングの導入部の導入溝にはカバー板が装着され、該カバー板は、前記係止ピンの相対的な通過にて開閉自在としてなる戸閉具としたことにより、上記課題を解決した。請求項７の発明は、前述の構成において、前記ケーシングは前記引戸の内部に装着され、前記係止ピンは前記ガイドレールの内部で且つ前記ケーシングに対応する位置に設けられてなる引戸の戸閉装置としたことにより、上記課題を解決した。
【００１０】
次に、請求項８の発明は、前述の構成において、前記ケーシングは前記引戸の表面側又は裏面側に装着され、前記係止ピンは前記ガイドレールの外部で且つ前記ケーシングに対応する位置に設けられてなる引戸の戸閉装置としたことにより、上記課題を解決した。請求項９の発明は、前述の構成において、前記係止ピンは、上下方向に移動自在で、且つ常時は下方向に弾性付勢されると共に、前記フックには被係止縁から外方に向かって断面が略三角形状且つ略先鋭状となる復帰用傾斜面が形成されてなる引戸の戸閉装置としたことにより、上記課題を解決した。さらに、請求項１０の発明は、前述の構成において、前記固定ガイドの係止ピンの下端位置は、上下方向の位置調整が可能としてなる引戸の戸閉装置としたことにより、上記課題を解決したものである。
【発明の効果】
【００１１】
請求項１の発明は、緩やかな引戸の戸閉動作を得ることができる。請求項２の発明は、引戸の戸閉側端部付近に近接させることで、その引戸を戸閉側端部に強制的に引き寄せるとともに、その戸閉終了間際における引戸の速度が緩やかに減速され良好な戸閉動作を得ることができる。さらに戸閉装置を小型なものとし、引戸装置への装着箇所のスペースを小さくすることができる。また、引戸装置への取付等の組付けが簡単である。請求項３の発明は、係止ピンとフックとの係止が良好に行なわれる。請求項４の発明は、簡単な構成にて戸閉のための動作をスムーズにすることができる。
【００１２】
請求項５の発明は、前記摺動部材にはラック部が形成され、緩衝部材には前記ラック部と歯合する歯車部を設けたことで、装置全体をコンパクトにすることができ、省スペース化にも寄与することができ、しかも、動作を極めて良好にできる。請求項６の発明は、前記ケーシングの導入部の導入溝にはカバー板を装着し、該カバー板は、前記係止ピンの相対的な通過にて開閉自在としたことで、ケーシング内部にほこりが入り込むことを防止でき、しかも、係止ピンが導入溝を通過する際には、相互に障害とならず良好な動作を維持することができる。請求項７の発明は、前記ケーシングを前記引戸の内部に装着し、また前記係止ピンは前記ガイドレールの内部で且つ前記ケーシングに対応する位置に設けることにより、ケーシングや係止ピンが引戸装置の外部に露出することがなく、本発明を整然とした構成にできる。
【００１３】
次に、請求項８の発明は、前記ケーシングは前記引戸の表面側又は裏面側に装着され、前記係止ピンは前記ガイドレールの外部で且つ前記ケーシングに対応する位置に設けるものである。したがって前記ケーシングや係止ピンを比較的簡単な加工にて引戸装置に装着することができ、よって、戸閉具の後付けが簡単にできる。これによって既存の引戸装置にも本発明を適用することが容易にできる。請求項９の発明は、前記係止ピンは、上下方向に移動自在とし且つ常時は下方向に弾性付勢されており、前記フックには被係止縁から外方に向かって断面が略三角形状且つ略先鋭状となる復帰用傾斜面が形成されている。
【００１４】
よって、たとえば、地震や衝突等によって生じる振動から前記ケーシング内部で係止ピンがフックから外れても、その引戸を往復動させてやれば、前記係止ピンの下端が前記復帰用傾斜面によって押し上げられることになり、無理なく係止ピンを再度フックに強制的に係止させることができ、初期状態に復帰させることができる。次に、請求項１０の発明は、固定ガイドの係止ピンの下端の位置の高さを微調整することができるものである。これによって、前記係止ピンが前記ケーシングの導入口から内部に入りやすい位置を簡単に設定することができ、且つ良好な戸閉動作を行なう引戸装置にすることができる。
【発明を実施するための最良の形態】
【００１５】
以下、本発明の実施形態を図面に基づいて説明する。本発明は、主に戸閉具と、引戸案内具と、ガイドレール２５等とから構成される。前記戸閉具は、引戸に装着されるものであって、ケーシングＡ，摺動部材１，フック２，弾性部材３、緩衝部材４等から構成される。また、引戸を案内する上下のガイドレール２５側には、固定ガイドが装着される。まず、前記戸閉具において、前記摺動部材１，フック２，弾性部材３、緩衝部材４等が前記ケーシングＡ内部の所定位置に装着されたものである。前記摺動部材１は、図１，図６（Ａ），（Ｃ），図７等に示すように、摺動本体部１ａの長手方向に沿ってラック部１ｂが形成されている。該ラック部１ｂは、多数の歯片から形成され、後述する緩衝部材４の抵抗歯車と噛み合う箇所である。
【００１６】
その摺動本体部１ａの長手方向一端側には、図６（Ａ），（Ｂ）及び図７（Ａ），（Ｃ）等に示すように、フック支持部１ｃが形成されている。該フック支持部１ｃには、揺動基部１ｄが形成されている。該揺動基部１ｄは、貫通孔として形成されている。そして、前記フック支持部１ｃの揺動基部１ｄに後述するフック２が揺動自在に装着されるものである〔図９（Ｂ）参照〕。
【００１７】
さらに、前記フック支持部１ｃには、その幅方向端部で且つ摺動部材１の長手方向に沿って摺動突起片１ｅが形成されている。該摺動突起片１ｅは、後述するケーシングＡ内に形成された案内摺動溝に挿入され、前記摺動部材１がケーシングＡの前後方向を適正且つ安定した状態で往復移動することができるようになっている。この摺動部材１の往復移動は引戸の開閉時に行なわれることになる。
【００１８】
また、前記ラック部１ｂに隣接し且つ平行となるように、平坦摺動部１ｆが形成されている。該平坦摺動部１ｆは、摺動部材１の長手方向に沿って、該摺動部材１の下面側に形成された略長方形状の平坦面である。この平坦摺動部１ｆは、ケーシングＡ内に形成された摺動案内平坦面７上に載置され、前記摺動突起片１ｅと共に摺動部材１の往復移動時における動作の安定性を保持するものである。さらに、前記フック支持部１ｃ付近で且つラック部１ｂ及び平坦摺動部１ｆの上方箇所に弾性部材連結部１ｇが形成されている。
【００１９】
該弾性部材連結部１ｇには、後述するコイルスプリング状の弾性部材３の長手方向一端側が連結され、該弾性部材３が前記摺動部材１を常時，ケーシングＡの後方側に弾性付勢する役目をなしている。すなわち、前記弾性部材３は、戸閉端部付近に到達したときに、前記引戸２４を戸閉方向に移動させる方向に弾性付勢することになるものである。このように、前記ケーシングＡの長手方向の前方とは、導入口１０ｆが形成されている側であり、長手方向の後方側とは、その導入口１０ｆが形成されている側とは反対側のことをいう〔図２（Ａ）参照〕。
【００２０】
次に、フック２は、図６（Ｂ），（Ｃ）及び図８等に示すように、揺動支持部２ａと、フック部２ｂと、ガイド突起２ｃとから構成されている。まず、前記揺動支持部２ａは、前記摺動部材１のフック支持部１ｃに形成された揺動基部１ｄに枢支連結するもので、フック２が前記フック支持部１ｃ上を所定範囲内において回動する役目をなすものである。具体的には、揺動支持部２ａは軸状をなしており、前記孔とした揺動基部１ｄに挿入され、前記フック２が摺動部材１のフック支持部１ｃに枢支連結される。
【００２１】
そして、前記フック２は、前記揺動支持部２ａを中心として、前記摺動部材１のフック支持部１ｃにおける水平面上を揺動することができる〔図９（Ｂ）参照〕。また、前記フック部２ｂは、図６（Ｃ），図８（Ａ）等に示すように、被係止縁２ｂ1 と被当接縁２ｂ2 から構成されている。そして、前記被係止縁２ｂ1 と被当接縁２ｂ2 とは略平行状態となっている。その被係止縁２ｂ1 は、図８（Ａ），（Ｂ）に示すように、被当接縁２ｂ2 よりもその延出方向の長さ寸法が短く形成されている。
【００２２】
また、前記被係止縁２ｂ1 と被当接縁２ｂ2 との間の形状は略Ｕ字形状の凹み部２ｂ3 となっており、その凹み部２ｂ3 に後述する固定ガイドＢの係止ピン１９が挿入することができるようになっている。また、前記固定ガイドＢには、前記被係止縁２ｂ1 から外方に向かって断面が略三角形状且つ略先鋭状となる復帰用傾斜面２ｄが形成されている。該復帰用傾斜面２ｄは、後述する固定ガイドＢの係止ピン１９が前記フック部２ｂの凹み部２ｂ3 に後述する強制係止を行なう場合にその役目をなす部位である。
【００２３】
次に、ケーシングＡは、図４に示すように、幅方向において２つに分割された２部材から構成されたものであって、第１ケーシング部Ａ1 及び第２ケーシング部Ａ2 とから構成される。図３（Ａ）は、前記第１ケーシング部Ａ1 を内部側より見た図であり、図３（Ｂ）は、前記第２ケーシング部Ａ2 を内部側より見た図である。その第１ケーシング部Ａ1 内で且つ長手方向略中心箇所には、後述する緩衝部材４の被装着部５形成されている。該被装着部５は、前記第１ケーシング部Ａ1 の内部側にて、その第１ケーシング部Ａ1 の幅方向に膨出するように形成されており、緩衝部材４の取付フランジ部が配置され易いようになっている。
【００２４】
さらに、その第１ケーシング部Ａ1 の内部側には、摺動案内溝条６が形成されている。該摺動案内溝条６は、前記摺動部材１の摺動突起片１ｅが挿入されて、前記摺動部材１のケーシングＡ内部における往復移動の動作を安定させるものである。前記摺動案内溝条６は、溝形状をなしており、前記第１ケーシング部Ａ1 の長手方向に沿って適宜の範囲に形成されたものである。
【００２５】
第２ケーシング部Ａ2 は、前記第１ケーシング部Ａ1 と共に前記摺動部材１，フック２，弾性部材３及び緩衝部材４が装着されるものである。第２ケーシング部Ａ2 の内部には、摺動案内平坦面７が形成されている。該摺動案内平坦面７は、第２ケーシング部Ａ2 の幅方向に沿って膨出状に形成されたものであり、上面が平坦状に形成され、前記摺動部材１の平坦摺動部１ｆが載置され、摺動部材１が前記摺動突起片１ｅと共にケーシングＡ内を安定した状態で往復移動ができるようになっている。
【００２６】
その前記第１ケーシング部Ａ1 及び第２ケーシング部Ａ2 には、図４に示すように、その上下方向において２枚の仕切片が形成され、下側に位置する内部案内板８ａ，８ｂとカバー支持板９ａ，９ｂとから構成される。その内部案内板８ａとカバー支持板９ａは、第１ケーシング部Ａ1 側に形成されている。また、内部案内板８ｂとカバー支持板９ｂは第２ケーシング部Ａ2 側に形成されている。そして、前記第１ケーシング部Ａ1 と第２ケーシング部Ａ2 とを接合してケーシングＡを構成することにより、図５に示すように、該ケーシングＡ内において、フック収容室Ｓ1 とカバー部材収容室Ｓ2 とが形成される。前記フック収容室Ｓ1 には、前記フック２が収容される。また、カバー部材収容室Ｓ2 には、後述するカバー部材が収容される。
【００２７】
また、前記内部案内板８ａ，８ｂは、前記第１ケーシング部Ａ1 と第２ケーシング部Ａ2 とを接合してケーシングＡを構成した状態において、その対向する先端部は離間しており、所定幅の隙間を有している。同様に、前記カバー支持板９ａ，９ｂにおいても、前記第１ケーシング部Ａ1 と第２ケーシング部Ａ2 とを接合してケーシングＡを構成した状態において、その対向する先端部は離間しており、所定幅の隙間を有している。その内部案内板８ａ，８ｂの隙間と、カバー支持板９ａ，９ｂの隙間とは、略同一寸法である。その隙間は、前記摺動部材１とフック２との枢支連結箇所における軸状の揺動支持部２ａが通過する部位である。また前記隙間は、固定ガイドの係止ピン１９が挿入して、フック収容室Ｓ1 のフック２のフック部２ｂと係止することができるようになっている。
【００２８】
その第１ケーシング部Ａ1 の正面側の上方位置から上面に亘って、導入凹み１０ａが形成され、また同様に第２ケーシング部Ａ2 の正面側の上方位置から上面に亘って、導入凹み１０ｂが形成され、前記第１ケーシング部Ａ1 と第２ケーシング部Ａ2 とを接合してケーシングＡを構成することにより、前記導入凹み１０ａ，１０ｂから導入部１０が形成される。そして、該導入部１０の構成は、図２に示すように、前記ケーシングＡの前方正面側で且つその上部箇所に位置して導入口１０ｆが形成され、さらに前記ケーシングＡの上面の前方側からその後方側に亘って略長孔状に導入溝１０ｕが形成される。前記導入口１０ｆと導入溝１０ｕは、連通している〔図２，図３（Ａ），（Ｂ）等参照〕。その導入部１０の導入口１０ｆから固定ガイドＢの係止ピン１９が案内導入され、前記フック２に係止すると共に、該フック２によって、前記係止ピン１９は、前記導入溝１０ｕに沿ってケーシングＡの後方側に相対的に移動することができるようになっている。
【００２９】
次に、前記内部案内板８ａ，８ｂは、案内溝１１と係止溝１２を形成する。具体的には、前記隙間が案内溝１１となる〔図１（Ｃ），（Ｂ）及び図５等参照〕。特に、係止溝１２は、前記内部案内板８ｂ側に形成される〔図１（Ｃ）参照〕。その案内溝１１は、前記導入溝１０ｕを平面的に見て同一位置に形成される〔図１（Ｃ），（Ｂ）及び図５等参照〕。また、その案内溝１１の導入口１０ｆ側寄りで且つ前記案内溝１１に連通する係止溝１２が形成される。該係止溝１２は、案内溝１１の長手方向に対して鋭角をなすようにして屈曲形成されたものである〔図１（Ｃ），（Ｂ）参照〕。
【００３０】
そして、前記フック２は、ガイド突起２ｃが前記案内溝１１から係止溝１２へ通過移動するときに、前記フック２の揺動支持部２ａが案内溝１１に位置しており、揺動支持部２ａを中心として、前記フック２が前記導入口１０ｆ付近で水平面上に沿って揺動する〔図１（Ｃ），図１０等参照〕。そのフック２は、ガイド突起２ｃが前記係止溝１２に案内されることにより、そのフック２に装着された弾性部材３の弾性力に抗して仮停止状態となる。この仮停止状態は、多少の振動等では動作しないが、後述する固定ガイドＢの係止ピン１９が当接したときに移動できる程度の停止維持が可能な状態をいう。
【００３１】
その係止溝１２に傾斜状態に仮停止状態にある前記フック２は、前述したように、前記被係止縁２ｂ1 の先端が被当接縁２ｂ2 の先端よりも延出方向に突出しているので、前記ケーシングＡの導入口１０ｆ付近では、被当接縁２ｂ2 が近接し、被係止縁２ｂ1 は前記被当接縁２ｂ2 よりも導入口１０ｆから僅かに離れた位置にある。そして、この状態で前記係止ピン１９は、導入口１０ｆから案内導入され、前記フック２の被係止縁２ｂ1 と被当接縁２ｂ2 との間の凹み部２ｂ3 に出入自在な状態となる〔図１１（Ａ），（Ｂ）参照〕。
【００３２】
その第２ケーシング部Ａ2 内には、図３（Ｂ）に示すように、弾性部材収納部１３が形成されている。該弾性部材収納部１３は、略Ｃ字形状の通路が形成されるように、第２ケーシング部Ａ2 の内方から幅方向に沿って壁板が突出するように形成されたものである。そして、その弾性部材収納部１３の終端箇所には、弾性部材連結部１４が形成されている。その弾性部材収納部１３には、弾性部材３のコイルスプリング状の弾性部３ａが略横倒し状のＵ字形状に折り曲げられて収納される。特に弾性部材収納部１３において弾性部材３がカーブする部分は、円弧状或いはＣ字形状に形成されている。その弾性部３ａが伸縮自在に収納される。
【００３３】
また、前記第１ケーシング部Ａ1 及び第２ケーシング部Ａ2 の内部には、それぞれ引戸案内具と連結する連結構成部１６ａ，１６ｂがそれぞれ形成され、前記第１ケーシング部Ａ1 と第２ケーシング部Ａ2 とを接合してケーシングＡを構成することにより、案内具接合部１６が形成される。該案内具接合部１６は、前記引戸案内具に形成された連結軸が挿入される孔を構成している。
【００３４】
前記第１ケーシング部Ａ1 と第２ケーシング部Ａ2 には、前述したように、カバー支持板９ａ，９ｂがそれぞれ形成され、カバー部材収容室Ｓ2 が構成される。このカバー部材収容室Ｓ2 には、図１７（Ａ）乃至（Ｄ）に示すように、幅方向（左右）両側にカバー板１７が配置されている。該カバー板１７は、前記導入部１０の導入溝１０ｕに、固定ガイドＢの係止ピン１９が案内導入されていない状態で、常時閉鎖し、ゴミ，埃又は異物等の浸入を防止するものである。
【００３５】
そのカバー板１７には、カバー部１７ａの幅方向一方側に弾発片１７ｂが形成されている。該弾発片１７ｂは、ピン状バネとして形成されている。そして、前記第１ケーシング部Ａ1 と第２ケーシング部Ａ2 の内部でカバー支持板９ａ，９ｂによって形成されたカバー部材収容室Ｓ2 の幅方向両側に２つのカバー板１７，１７がそのカバー部１７ａ，１７ａ同士が対向するようにして左右対称に配置されている。そして、両カバー部１７ａ，１７ａのそれぞれの弾発片１７ｂ，１７ｂは各ケーシング部の垂直壁面に当接し、両カバー部１７ａ，１７ａの先端同士が常時、当接して導入溝１０ｕを閉鎖するように弾性的に付勢されている〔図１７（Ｂ），（Ｄ）参照〕。
【００３６】
さらに、前記カバー部１７ａの長手方向両端部には導入傾斜辺１７ａ1 が形成されている。この導入傾斜辺１７ａ1 は、両カバー部１７ａ，１７ａが対向した状態で、三角形状の切欠き部分が構成されることになり、導入口１０ｆから挿入される固定ガイドＢの係止ピン１９がその両導入傾斜辺１７ａ1 ，１７ａ1 によって形成される切欠き部に食い込むようにして挿入され、その両導入傾斜辺１７ａ1 ，１７ａ1 を介して両カバー部１７ａ，１７ａを相互に離間させるようにして、前記係止ピン１９はケーシングＡに対して相対的に導入溝１０ｕに沿って移動するものである〔図１８（Ａ）乃至（Ｃ）参照〕。
【００３７】
そして、この係止ピン１９が導入溝１０ｕの終端に到達して戸閉動作が終了すると、導入口１０ｆ側とは反対側に形成された両導入傾斜辺１７ａ1 ，１７ａ1 によって、前記係止ピン１９には当接することなく、両カバー部１７ａ，１７ａを閉鎖することができる。戸開動作においても、前記係止ピン１９が前記導入溝１０ｕの終端から導入口１０ｆ側に向かう際に再度両導入傾斜辺１７ａ1 ，１７ａ1 から両カバー部１７ａ，１７ａを離間させることができる。そして、その係止ピン１９がケーシングＡから離脱すると、前記両カバー部１７ａ，１７ａが閉じて、導入溝１０ｕを閉鎖するものである。
【００３８】
次に、前記弾性部材３は、弾性部３ａの長手方向の両側に連結部３ｂ，３ｂが形成される。前記弾性部３ａは、コイルスプリングであり連結部３ｂ，３ｂは、先端に大径頭部が形成されたピンである。そして、その弾性部材３の長手方向の一方の連結部３ｂが第２ケーシング部Ａ2 側の弾性部材連結部１４に連結され、またその他端の連結部３ｂが摺動部材１の弾性部材連結部１ｇに連結される。この弾性部材３は、前述したように、ケーシングＡ内において、前記摺動部材１とフック２とを常時，ケーシングＡの後方側（導入口１０ｆ側とは反対側）に向かうように弾性的に付勢している。ここで、ケーシングＡの後方側とは、引戸２４に戸閉に向かう動作を行なわせているときにおいて、このケーシングＡ内部を移動するフック２の移動終端側のことであり、具体的には、ケーシングＡに形成された導入口１０ｆとは反対側となる位置である。
【００３９】
次に、緩衝部材４は、前記弾性部材３の弾性力Ｆを減少させる役目をなすものである。前記弾性部材３の弾性力Ｆは、緩衝部材４が発生する抵抗力Ｔよりも大きいことが条件であるが、その弾性力Ｆと抵抗力Ｔとの差は適宜に設定される。具体的には、図４（Ｃ）に示すように、歯車部４ａが緩衝容器４ｂに装着され、該緩衝容器４ｂにはフランジ４ｃ，４ｃが形成されている。そのフランジ４ｃ，４ｃを介して緩衝容器４ｂが第１ケーシング部Ａ1 の前記被装着部５に装着される。その緩衝容器４ｂには、前記歯車部４ａの回転に対して抵抗力Ｔを生じる機構となっており、たとえば、内部にグリース等の高粘度の材質があり、歯車部４ａの軸に掻き混ぜ専用の板片が装着され、歯車部４ａによって伝達された外力に対する抵抗力Ｔを生じるというものである。しかし、この構造に限定されるものではない。
【００４０】
この緩衝部材４は、図４（Ａ），図１６（Ａ）等に示すように、歯車部４ａは、前記摺動部材１のラック部１ｂと噛み合い、摺動部材１をケーシングＡ後方側に移動させる弾性力Ｆに対する抵抗力Ｔを生じて、弾性力Ｆから抵抗力Ｔを差し引いた戸閉力Ｐにより、摺動部材１及びフック２をケーシングＡ後方側に移動させるものである。すなわち、引戸２４を支持する引戸案内具は、Ｆ−Ｔ＝Ｐによる力にて移動するものであり、また図１６（Ｂ）に示すように、引戸２４の初速Ｖｎを、固定ガイドＢの係止ピン１９がフック２と係止した状態から戸閉が完了するまでの戸閉力Ｐによる低速な速度Ｖｍとすることができるものである。なお、緩衝部材４は、図４（Ｃ）のように歯車部４ａを介して抵抗力Ｔを発生するタイプとしたが、シリンダタイプとしても構わない。
【００４１】
次に、固定ガイドＢは、図１５に示すように、ガイドケーシング１８の内部に係止ピン１９が装着されている。該係止ピン１９は、垂直状に配置され、前記戸閉具に装着されたフック２と係止するものである。その係止ピン１９は、上下方向に移動可能で、常時はバネ２０によって下方に弾性付勢されている〔図１５（Ａ），（Ｃ）参照〕。さらに、その係止ピン１９とバネ２０は、上下調整ケース２１に装着され、前記ガイドケーシング１８内を上下方向に移動する構成であり、その上下移動を上下調整螺子２２にて行なうものである。
【００４２】
具体的には上下調整螺子２２がガイドケーシング１８に軸周方向に回動自在に装着され、その上下調整螺子２２の螺子部に螺合する内螺子片２１ａが形成された上下調整ケース２１が前記上下調整螺子２２により高さ調整され、前記係止ピン１９の下端位置の微調整を行うことができる。このように係止ピン１９の下端位置を引戸に装着されたケーシングＡの高さ位置に対して微調整ができることにより、引戸装置の施工において、現場合わせが可能となり、前記係止ピン１９が導入口１０ｆから難なく挿入させることがき、良好なる引戸装置を施工することができる。
【００４３】
本発明では、前記戸閉具は、引戸２４に装着され、前記固定ガイドＢは引戸２４のガイドレールの端部箇所付近に設けられる。その引戸装置の構成には複数の実施形態が存在する。その第１実施形態では、図１，図１９（Ａ）等に示すように、前記戸閉具のケーシングＡは、前記引戸２４の上方で且つその内部に装着され、前記固定ガイドＢは、前記ガイドレール２５の内部で且つ前記ケーシングＡに対応する位置に設けられる。
【００４４】
具体的には、引戸２４の上方で戸閉側端にケーシングＡが装着される装着スペースが形成され、該装着スペース内に戸閉具が装着される。このとき、ケーシングＡの導入部１０の導入口１０ｆは、前記引戸２４の戸閉側の側面から外部露出するように配置され、前記導入部１０の導入溝１０ｕは、前記引戸２４の上部から外部に露出するように配置される〔図１（Ａ）参照〕。前記引戸２４の戸閉側とは、その引戸２４を閉めたときに、キャビネット又は部屋の間仕切りにおける引戸枠に当たる側のことである（図１０乃至図１２参照）。
【００４５】
その引戸案内具２３は、ハングローラタイプで、走行本体部２３ａとローラ部２３ｂ，２３ｂとから構成されている。そのガイドレール２５のレール部２５ａ，２５ａに前記引戸案内具２３のローラ部２３ｂ，２３ｂ，…が移動可能に載置されている。また、前記引戸案内具２３の走行本体部２３ａには連結軸２３ｃが垂下状に設けられ、該連結軸２３ｃが前記ケーシングＡに形成された案内具接合部１６に挿入されることで、引戸案内具２３とケーシングＡとが連結される。
【００４６】
その引戸の装置の構成の第２実施形態では、図１９（Ｂ）に示すように、ガイドレール２５は、上方位置に形成された単なる引戸案内溝条としたものである。また、引戸案内具２３は、引戸２４の頂部に突出した突起条としたもので、この突起条が前記単なる引戸案内溝条とした溝内に挿入されるものである。また、前記固定ガイドＢは、前記引戸案内溝条（ガイドレール２５）内に設けられている。前述した第１，第２実施形態では、前記戸閉具を引戸２４に装着するときには、前記戸閉具は、そのケーシングＡの前方側（前記導入口１０ｆが形成されている側）の正面は、前記引戸２４の戸閉側の端部側面に略一致するように装着される〔図１（Ａ）参照〕。
【００４７】
その引戸の装置の構成の第３実施形態では、図１９（Ｃ）に示すように、引戸案内具２３とガイドレール２５は第１実施形態の構成と同様であって、引戸案内具２３はハングローラタイプであり、ガイドレール２５は、そのハングローラタイプに対応するものである。前記戸閉具のケーシングＡは、引戸２４の幅方向における表面側又は裏面側に装着される。また、前記固定ガイドＢは、その係止ピン１９が前記ケーシングＡの導入口１０ｆに対応する位置に設けられるもので、その固定ガイドＢもガイドレール２５の外部に装着される。すなわち、戸閉具のケーシングＡ及び固定ガイドＢは、共に外部に露出して装着されるものである。このタイプは、引戸装置の施工後に後付け工事にて追加することができるものである。
【００４８】
その引戸装置構成の第４実施形態では、図１９（Ｄ）に示すように、引戸案内具２３とガイドレール２５は第２実施形態の構成と同様である。すなわち、ガイドレール２５は、引戸案内溝条とし、引戸案内具２３は、突起条としたものである。さらに、前記戸閉具のケーシングＡ及び固定ガイドＢの取付位置は、第３実施形態の構成と同様である。この実施形態も、引戸装置の施工後に後付け工事にて追加することができるものである。
【００４９】
次に、本発明における戸閉装置による引戸２４の戸閉及び戸開きのそれぞれの動作を前述した第１実施形態に基づいて説明する。まず、引戸２４の戸閉動作を説明すると、摺動部材１とフック２と枢支連結されており、その初期状態でフック２がケーシングＡの係止溝１２に係止され、傾斜状態で仮停止状態にある〔図１０（Ｂ）参照〕。そして、開き状態の引戸２４が戸閉方向〔図１０（Ａ）において右側から左側方向〕に移動して、前記固定ガイドＢの係止ピン１９の位置に到達し〔図１１（Ａ），（Ｂ）参照〕、該係止ピン１９がケーシングＡの正面側の導入口１０ｆより案内導入されると、前記係止ピン１９の先端が導入口１０ｆ付近に位置する前記フック２の被当接縁２ｂ2 に当接することになる〔図１１（Ｂ）参照〕。
【００５０】
さらに、前記引戸２４が戸閉方向に移動すると、前記係止ピン１９が被当接縁２ｂ2 を押し付けるように作用し、前記フック２が摺動部材１に対して揺動しながら前記ガイド突起２ｃが前記係止溝１２から離脱し、前記フック２の仮停止状態が解除される〔図１２（Ａ），（Ｂ）参照〕。具体的には、前記係止ピン１９が前記被当接縁２ｂ2 を押圧し、図１（Ｃ），図１２（Ｂ）において、前記揺動支持部２ａが時計方向に揺動しながら、ガイド突起２ｃが係止溝１２から離脱し、前記フック２の仮停止状態を解除すると共に、前記係止ピン１９が前記被係止縁２ｂ1 と被当接縁２ｂ2 との間の略Ｕ字形状の凹み部２ｂ3 内に挿入する〔図１２（Ｂ）参照〕。
【００５１】
このようにして、前記ガイド突起２ｃが係止溝１２から案内溝１１に移動して前記フック２の仮停止状態が解除されると、該フック２の揺動支持部２ａとガイド突起２ｃが案内溝１１に沿って移動可能な状態となる。さらに、前記フック２が枢支連結されている前記摺動部材１は、前記弾性部材３の弾性力ＦによってケーシングＡの後方側に向かって弾性的に付勢されており、その弾性部材３によって、前記摺動部材１及びフック２は、前記案内溝１１に沿って前記ケーシングＡの後方側に移動しようとするものである。
【００５２】
また、前記摺動部材１に形成されたラック部１ｂには、前記緩衝部材４の歯車部４ａが噛み合っているので、その弾性部材３により前記ケーシングＡの後方側へ移動しようとする前記摺動部材１に前記緩衝部材４による抵抗力Ｔが前記ラック部１ｂを介してかかる（図２０参照）。さらに、その抵抗力Ｔが前記摺動部材１に連結された前記弾性部材３の弾性力Ｆによる弾性付勢方向に抗して作動する。これによって、前記弾性部材３の弾性力Ｆから緩衝部材４の抵抗力Ｔを差し引いた力，すなわちＦ−Ｔなる力が実質的な戸閉力Ｐとなる。そして、この戸閉力Ｐにより、前記引戸２４は、人の戸閉作業による初期戸閉速度Ｖｎから前記減速されて、その戸閉力Ｐにより緩やかな速度Ｖｍとなって、戸閉動作が行われ、戸閉側に強制的に移動され、戸閉方向端部に到達して戸閉動作を完了するものである（図２１参照）。
【００５３】
次に、前記引戸２４の戸開き動作を図１４（Ａ）乃至（Ｄ）に基づいて説明する。まず、前記フック２は、図１４（Ａ）に示すように、初期状態でケーシングＡの後方側寄り〔図１４（Ａ）において右側寄り〕に位置しており、前記ガイドレール２５に装着された固定ガイドＢは、前記フック２の凹み部２ｂ3 と係止状態にある。そして、図１４（Ｂ）に示すように、前記引戸２４を戸開き方向〔図１４（Ｂ）において右側から左側方向〕に移動させることで、固定ガイドＢが係止状態にあるフック２の被係止縁２ｂ1 を引っ張るようにして、ケーシングＡの導入口１０ｆ側へフック２及び摺動部材１を強制的に移動させる。
【００５４】
さらに、前記引戸２４を戸開き方向に移動させ、前記フック２が案内溝１１の端部に到達すると、摺動部材１の摺動が停止される。このときには、フック２は、前記係止溝１２の形成位置に到達している。さらに前記引戸２４の戸開動作が続行されることにより、固定ガイドＢの係止ピン１９との係止状態が維持されていることによってフック２の被係止縁２ｂ1 が引き出されるようにしてフック２が回転する。具体的には、図１４（Ｃ），（Ｄ）に示すように、前記係合部２ｃがガイド突起２ｃが係止溝１２に移動して前記フック２は反時計方向に回転される。
【００５５】
前記フック２は、摺動部材１と該摺動部材１に連結されている弾性部材３の弾性力により、係止溝１２とガイド突起２ｃが適宜の圧力により係合当接した状態が維持され、これによって、前記フック２はケーシングＡの導入口１０ｆ箇所で且つ係止溝１２箇所で仮停止状態となる。そのフック２は、被係止縁２ｂ1 の頂部箇所が低くなるように傾斜した状態となっているので、固定ガイドＢの係止ピン１９は、被係止縁２ｂ1 から離脱し、係止ピン１９とフック２との係止状態が解除され、引戸２４はさらに開き側に移動し、開き動作を完了する。
【００５６】
図１６は、戸閉及び戸開において、何かが引戸２４に衝突したり、又は地震等の振動等の何らかの原因で、ケーシングＡ内の導入部１０に一旦挿入された係止ピン１９がフック２から外れてしまった場合の強制復帰の工程を示したものである。前記固定ガイドＢの係止ピン１９は、前述したように、前記バネ２０によって常時下方に弾性的に付勢されたものである。まず、図１６（Ａ）では、前記係止ピン１９は、前記フック２の凹み部２ｂ3 から、そのフック２外部に外れた状態にある。
【００５７】
この状態で、フック２が係止ピン１９に近接する方向に引戸２４を移動させると、前記フック２に形成された復帰用傾斜面２ｄに沿って、係止ピン１９の下端が上方に押し上げられる状態となる〔図１６（Ｂ）参照〕。そして、さらに引戸２４を移動させることで、前記係止ピン１９の下端がフック２の頂部に移動し〔図１６（Ｃ）参照〕、さらに引戸２４を移動させてゆくことにより、前記係止ピン１９がフック２の凹み部２ｂ3 に挿入され、係止ピン１９とフック２が係止される〔図１６（Ｄ）参照〕。  
【図面の簡単な説明】
【００５８】
【図１】（Ａ）は戸閉具を引戸装置の要部縦断正面図、（Ｂ）は戸閉具の拡大断面正面図、（Ｃ）は（Ｂ）のＸ1 −Ｘ1 矢視断面図、（Ｄ）は戸閉具の平面図である。
【図２】（Ａ）は戸閉具の斜視図、（Ｂ）は固定ガイドの斜視図である。
【図３】（Ａ）は第１ケーシングの正面図、（Ｂ）は第２ケーシングの正面図である。
【図４】（Ａ）は第１ケーシングの縦断側面図、（Ｂ）は第２ケーシングの縦断側面図である。
【図５】戸閉具の縦断側面図である。
【図６】（Ａ）は摺動部材の斜視図、（Ｂ）はフックの斜視図、（Ｃ）は摺動部材とフックの組立斜視図、（Ｄ）は緩衝部材の斜視図である。
【図７】（Ａ）は摺動部材の正面図、（Ｂ）は（Ａ）のＸ2 −Ｘ2 矢視断面図、（Ｃ）は摺動部材の平面図、（Ｄ）は摺動部材の背面図である。
【図８】（Ａ）はフックの平面図、（Ｂ）はフックの正面図、（Ｃ）はフックの側面図である。
【図９】（Ａ）摺動部材とフックの組立平面図、（Ｂ）はフックが摺動部材に対して揺動する状態を示す要部平面図、（Ｃ）は摺動部材とフックの組立正面図である。
【図１０】（Ａ）は戸閉開始の正面工程図、（Ｂ）は戸閉開始の平面工程図である。
【図１１】（Ａ）は係止ピンがフックに係止を開始した正面工程図、（Ｂ）は（Ａ）の平面工程図である。
【図１２】（Ａ）は係止ピンがフックに係止完了した正面工程図、（Ｂ）は（Ａ）の平面工程図である。
【図１３】（Ａ）は戸閉完了の正面工程図、（Ｂ）は戸閉完了の平面工程図である。
【図１４】（Ａ）乃至（Ｄ）は戸開作用の工程図である。
【図１５】（Ａ）は固定ガイドの縦断側面図、（Ｂ）は下面側平面図、（Ｃ）は固定ガイドの上下調整ケースを上方に移動させた状態の縦断側面図である。
【図１６】（Ａ）乃至（Ｄ）は引戸装置における係止ピンとフックとの強制復帰を示す工程図である。
【図１７】（Ａ）はカバー板によってケーシングの導入部が閉鎖されている状態の平面図、（Ｂ）は（Ａ）の要部横断平面拡大図、（Ｃ）は係止ピンが両カバー板を離間させた状態の要部横断平面拡大図、（Ｄ）は（Ａ）のＸ3 −Ｘ3 矢視拡大断面図である。
【図１８】（Ａ）は両カバー板の導入傾斜辺から食い込む状態を示す拡大作用図、（Ｂ）は係止ピンが両カバー板を離間させている状態を示す拡大作用図、（Ｃ）は係止ピンが両カバー板を離間させて移動する状態を示す拡大作用図である。
【図１９】（Ａ）は本発明における戸閉具と固定ガイドとの組付け構成の第１実施形態を示す要部縦断側面図、（Ｂ）は本発明における戸閉具と固定ガイドとの組付け構成の第２実施形態を示す要部縦断側面図、（Ｃ）は本発明における戸閉具と固定ガイドとの組付け構成の第３実施形態を示す要部縦断側面図、（Ｄ）は本発明における戸閉具と固定ガイドとの組付け構成の第４実施形態を示す要部縦断側面図である。
【図２０】弾性部材と緩衝部材による作用を示す拡大図である。
【図２１】本発明を使用した引戸装置の略示図である。
【符号の説明】
【００５９】
Ａ…ケーシング、１…摺動部材、１ｂ…ラック部、２…フック、２ｂ1 …被係止縁、
２ｂ2 …被当接縁、２ｃ…ガイド突起、２ｄ…復帰用傾斜面、３…弾性部材、
４…緩衝部材、１０…導入部、１０ｆ…導入口、１０ｕ…導入溝、１１…案内溝、
１２…係止溝、１７…カバー板、１９…係止ピン、２４…引戸、２５…ガイドレール。
【図１】
2007023554.tif 000003
【図２】
2007023554.tif 000004
【図３】
2007023554.tif 000005
【図４】
2007023554.tif 000006
【図５】
2007023554.tif 000007
【図６】
2007023554.tif 000008
【図７】
2007023554.tif 000009
【図８】
2007023554.tif 000010
【図９】
2007023554.tif 000011
【図１０】
2007023554.tif 000012
【図１１】
2007023554.tif 000013
【図１２】
2007023554.tif 000014
【図１３】
2007023554.tif 000015
【図１４】
2007023554.tif 000016
【図１５】
2007023554.tif 000017
【図１６】
2007023554.tif 000018
【図１７】
2007023554.tif 000019
【図１８】
2007023554.tif 000020
【図１９】
2007023554.tif 000021
【図２０】
2007023554.tif 000022
【図２１】
2007023554.tif 000023